Podtech/llm-jp-corpus-v4-ja_patent huggingface dataset:
(57)【特許請求の範囲】
【請求項１】
内容物を吐出するためのポンプが装着される一端部と、前記一端部に対向する底部と、を有する容器本体と、
元容器等の注入装置の吐出ノズルが進入可能で前記容器本体の内部に連通する詰替液結合口を有する、前記底部から前記一端部の方向に延在する突出部と、
前記底部から前記一端部の方向へ離間する位置で前記詰替液結合口を開閉する弁部材を有する、前記突出部に装着されるヒンジ型逆止弁と、を備え、
前記ヒンジ型逆止弁が、前記元容器等の注入装置の前記吐出ノズルの結合、液注入に従って開口し、また、液注入が完了し、該吐出ノズルの離脱後、定立した前記容器本体内の液体の自重による圧力に従って閉塞する構造を有している簡易詰替用容器。
【請求項２】
前記弁部材は、前記突出部から前記詰替液結合口の内方に突出する突起に係合又は非係合することにより前記詰替液結合口を開閉することを特徴とする請求項１に記載の簡易詰替用容器。
【請求項３】
前記ポンプは、前記容器本体の内部に延在する管状部材を有し、前記管状部材の開口端部は、前記弁部材より前記底部の近くに配置されることを特徴とする請求項１又は２に記載の簡易詰替用容器。
【発明の詳細な説明】
【技術分野】
【０００１】  この発明は、シャンプー、リンスなどの小分け使用用のポンプ付容器において、該容器の底部に詰替液結合口とヒンジ型逆止弁を設けた簡易詰替用容器に関するものである。
【背景技術】
【０００２】  従来、旅館、ホテルなどの浴槽で使用するシャンプー、リンスはポンプ付容器に元容器から手操作で小分け詰替されて使用されている。
【発明の開示】
【発明が解決しようとする課題】
【０００３】  これは、次のような欠点があった。
作業者は一個一個の容器上部のねじ付キャップを開けて小分け詰替注入する作業を数多くこなすため能率が悪く作業に時間がかかっていた。また、同じ動作をするため手の腱鞘炎の原因にもなることもあった。本発明は以上のような欠点をなくすためになされたものである。
【課題を解決するための手段】
【０００４】
ポンプ（１）を載置したシャンプー、リンスなどの定立型容器（２）において、該容器の底部（３）に詰替液結合口（５）とヒンジ型逆止弁（４）を設ける。小分け詰替作業においては、容器の底部を上にして詰替液を注入する。詰替液結合口（５）は元容器等の注入装置の吐出ノズルに嵌合されることにより必要な液体などが、注入され効率的かつ、手の疾患を防ぐ小分け詰替が可能になる。 本発明は、以上の構成・使用方法からなる簡易詰替用容器（６）である。
【発明の効果】
【０００５】  シャンプー、リンスなどのポンプ付小分け使用容器の底部から元容器等の注入装置により詰替用液体を半自動的に注入できるので作業効率が上がり、また、作業が容易になることから手の疾患発生も減ることになる。
なお、詰替口結合口を底部以外に設置しても良いが美観上の問題が残る。
また、注入装置を例えば、レベル計の使用により、一定量の小分けが可能である。
【発明を実施するための最良の形態】
【０００６】
以下、本発明を実施するための最良の形態について実施例を、図面にもとづいて説明する。
一般的に販売されているポンプ（１）を載置した定立型容器（２）において、その底部（３）に詰替液結合口（５）を、更にその後方に内容物をこぼさないためのヒンジ型逆止弁（４）を設け、簡易詰替用容器（６）使用時のポンプ（１）を上部にして定立させた液の逆流を防止する。ヒンジ型逆止弁（４）は、元容器等の注入装置の吐出ノズルの結合、液注入に従って開口し、また、液注完了し、該吐出ノズルの離脱後、定立した容器（２）内の液体の自重により閉塞する構造を有している。更に、ポンプ（１）加圧力によっても強く閉塞することによりポンプ（１）の吐出口から内部液が吐出する。
本発明は、以上のような構造である。
【図面の簡単な説明】
【０００７】
【図１】  本発明の断面図と外観図の組合わせ図である。
【符号の説明】
【０００８】  １  ポンプ
２  容器本体
３  底部
４  ヒンジ型逆止弁
５．詰替液結合口
６．簡易詰替用容器
【図１】
0006201097.tif 000002
(57)【特許請求の範囲】
【請求項１】
一体化されているエアーバッグの蓋の適正な開放を確保するダッシュボードの美観ライニングを遮蔽する装置であって、エアーバッグを備えている前記蓋を開放するための溝に同面の縁を備え、前記縁は、前記ダッシュボードのライニングの外側表面に配置され、且つ前記ライニングに入り込む少なくとも１つの歯を備えており、それによりエアーバッグの対称的な開放を確保するようになされていて、
前記蓋と前記ライニングとの間にスポンジ状の材料からなる層が設けられており、前記溝は、前記スポンジ状の材料の一部と前記蓋との間に配置され、前記縁の1つの面が、前記溝の１つの面と同面であり、前記縁の前記面が前記歯を含むことを特徴とするダッシュボードの美観ライニングを遮蔽する装置。
【請求項２】
前記縁に内ねじが結合されている、ことを特徴とする請求項１に記載のダッシュボードの美観ライニングを遮蔽する装置。
【発明の詳細な説明】
【技術分野】
【０００１】
本発明は、一体化エアーバッグの蓋の適正な開放を確保する車両のダッシュボード上の美観ライニングを遮蔽する装置に関する。
【０００２】
更に特定すると、本発明は、スポンジ状の基材と合成又は天然の表面層とを有している一体化されたエアーバッグの蓋の適正な開放を可能にする上記の種類の装置に関する。
【０００３】
本発明による解決方法は、一体化されている（見えていない）エアーバッグを備え且つスポンジ状の基材と合成又は天然の表面層とによって覆われている内装部材（ダッシュボード及びパネル）に適用することができる。
【背景技術】
【０００４】
現在のところ、全ての中級−高級車両には、助手席サイドエアーバッグが設けられており、該エアーバッグの開放蓋はダッシュボードの外板内に一体化されている。
【０００５】
斯かる蓋の適正な開放を可能にするために、通常は一連の微細孔が形成される。該微細孔は、レーザーによって形成され、その深さ及びピッチの機能によってエアーバッグによって蓋を開放するのに必要な負荷を幾分大きくしている。
【０００６】
前記の方法は、特に、一体化エアーバッグの蓋を備えたダッシュボードに適用され、その主たる利点は、該装置を種々の用途のために使用することができる点である。
【０００７】
比較的低級製品のために現在採用され且つ“移動台付きの”ダッシュボード又はパネルを備えている他の解決方法は、堅牢な支持部材を貫通している穴を隠すために脆弱な繊維による美観飾り縫いを使用してドアの適正な開放を確保することからなる。
【０００８】
しかしながら、特に、上記した第一の技術的方法は、美観ライニングとしてスポンジ状の材料が採用されている場合に、美観上の問題によって特徴付けられ、実際には、微細孔は、貫通しておらず且つ発泡セルの破壊を生じ、このような発泡セルの破壊は局部的な窪みのために外から観察することができる。
【０００９】
更に前記の脆弱化による方法は、例えば商品名Ｂｅｎｏｖａ（登録商標）によって知られているライニングのような合成被覆材料が採用されている場合には十分なものではない。
【００１０】
これに類似の美観上の問題点が非発泡型ダッシュボードに対して存在する。
【００１１】
更に、別の問題点は、レーザー加工プロセスのための高い工業化コスト（レーザー加工機及びダッシュボード−パネルを位置決めするための特別な装置）であり、これは特定市場用途又は少量生産製品に対してはコストがかかる。
【００１２】
上記に鑑み且つ上記の問題点を解決するために、出願人は、上記の欠点の全てを解決することを可能にするプラスチック又は金属の縁によって構成される装置を実現した。
【発明の概要】
【００１３】
従って、本発明の特定の目的は、エアーバッグの蓋の適正な開放を確保するダッシュボードの美観ライニングを遮蔽して一体化されている装置であり、ダッシュボードのライニングの外側にエアーバッグを備えている蓋を開放するための溝と同面の縁を備え且つ前記ライニング内に入り込んでいる少なくとも１つの歯を設けて、エアーバッグの対称的な開放を確保することを特徴としている装置を提供することである。
【００１４】
本発明によると、前記蓋と前記ライニングとの間にスポンジ状の材料からなる層が設けられ、前記縁は、前記スポンジ状の層を破るための溝と同面であるのが好ましい。
【００１５】
更に、本発明に従って、前記縁は複数の歯を提供している。
【００１６】
本発明においては、全ての場合に、前記縁には内ねじが結合されている。
【００１７】
更に、本発明に従って、前記縁は複数個設けられる。
【図面の簡単な説明】
【００１８】
以下、本発明を、例示的であり且つ限定的でなく、好ましい実施例によって特に添付図面を参照して説明する。
【図１】図１は、本発明による装置を備えたダッシュボードの斜視図である。
【図２】図２は、本発明による装置の第一の断面図である。
【図３】図３は、本発明による装置の第二の断面図である。
【実施例】
【００１９】
添付図面を参照すると、全体が参照符号１によって示されているダッシュボード上にライニングが設けてられており且つ該ライニング上に縁２が付けられている本発明による装置の一つの実施例（図１）を見ることができる。縁２を以下において更に詳細に説明する。
【００２０】
図２及び図３の断面図を参照すると、ダッシュボード１のライニング４を“掴み込んでいる”歯３が設けられている縁２を見ることができる。前記縁２は蓋５を開放する溝８と同面に取り付けられている。
【００２１】
更に、図２及び３においては、スポンジ状の材料の厚み６、エアーバッグのガイド用ブラケット７、前記スポンジ状の材料をフライス加工することによって得られる溝８を見ることができる。
【００２２】
前記の縁（図３）は、ねじ９によってダッシュボード上に固定されている。既に説明したように、縁２は、蓋５を開放する溝８と同面に配置され且つ接触線に沿って歯３を備えている。歯３は、ライニング材料４に局部的な脆弱化部分を形成しており、これはライニング（天然又は人口の表皮）の迅速な切断を可能にするために必要である。
【００２３】
上記の説明により、エアーバッグが膨張し且つ蓋５にその圧力をかけ始めたときに、外側ライニング４の完全な破れが生じて蓋５の非対称な開放が防止され且つ該エアーバッグの性能に影響を及ぼすエアーバッグの圧力の増大（非対称な展開及びより展開時間が長くなること）が防止されることがわかる。
【００２４】
以上、本発明を、限定目的ではなく例示を目的として好ましい実施例によって説明したが、当業者は、添付の特許請求の範囲に規定されている範囲から逸脱することなく、改造及び／又は変更を加えることができることが理解できるはずである。
【図１】
0006077212.tif 000002
【図２】
0006077212.tif 000003
【図３】
0006077212.tif 000004
(57)【特許請求の範囲】
【請求項１】
伸縮性のある素材を使用し、着脱と防水の両機能を有する開口部を顎部から頭頂部に渡る部分に設けたことを特徴とする防水服。
【発明の詳細な説明】
【技術分野】
【０００１】  本発明は、着脱と防水の両機能を有する開口部がある、防水服に関するものである。【０００２】  従来の防水服は、防水ファスナーと首で防水するもので、普通のファスナーと違い、大きく、堅く、重いもので、開けたり締めたり、着脱するのに手間がかかり、防水ファスナーが背中側についているものにおいては、一人では着脱できない等の問題があった。【０００３】  歩いたり走ったり座って乗り物を運転したりするには、防水ファスナーは機能上折れると水没の原因になり、その後使用できなくなるため、曲げ伸ばしする場所には取り付けできず、又首を締めつけて防水するため苦しく、硬く、重く動きにくいものであった。【０００４】  防水ファスナーは約１ｍ前後であり、長く伸ばしたまま持たなければならず、小さくたたんだりはできないため、防水ファスナー以外の本体の素材もクロロプレンなどの厚いものだったりすると、大きく、重く、持ち運びしにくいという欠点があった。
【先行技術文献】
【特許文献】
【０００５】
【特許文献１】  特開平１１−３１０１９３号公報
【発明の概要】
【発明が解決しようとする課題】
【０００６】  解決しようとする問題点は、一人でも容易に着脱できずに、動きづらく、持ち運びしにくいという点である。
【課題を解決するための手段】
【０００７】  本発明は、防水服に、着脱と防水の両機能を有する開口部を設けたことを最も主要な特徴とする。
【発明の効果】
【０００８】  本発明の防水服は、着脱と防水の両機能を有する開口部を設けたことにより、一人でも容易に着脱でき、歩いたり走ったり座って乗り物を運転したり、動きやすく、持ち運びしやすいという利点がある。
【図面の簡単な説明】
【０００９】
【図１】  防水服の実施方法を示した正面図である。（実施例１）
【図２】  防水服の実施方法を示した側面図である。（実施例１）
【図３】  防水服の実施方法を示した側面図である。（実施例１）
【発明を実施するための形態】
【００１０】  防水服に着脱と防水の両機能を有する開口部を設け、防水ファスナーを設けないという実施形態を１例説明する。
【実施例１】
【００１１】  図１、図２、図３は、伸縮性のある素材を使用し、着脱と防水の両機能を有する開口部を、顎部から頭頂部に渡る部分に設けた防水服の例である。【００１２】  図２側面図の伸縮素材部１は、顎部と顔側面部と頭頂部で防水されており、髪の毛が無い人では防水性が高いが、髪の毛がある人は防水性が低いが波しぶき程度では問題ない。防水性を高めるために、水泳用のゴムやシリコンでできたヘアキャップ等を装着した上から被せることもできる。この場合頭囲に持っていって防水することもできる。呼吸する穴や、視界のための透明な部分を設けることが必要になる。【００１３】  顎部から頭頂部で防水する場合、約６０ｃｍ〜約８０ｃｍ程度の周囲であるため、着脱するためには、約２倍〜約２．５倍程度伸びる素材であれば、問題なく着脱できる。フード部２は伸びない素材であれば、その分だけの周囲の幅がある必要がある。【００１４】  図３の側面図は、伸縮素材部１を頭からはずした場合の使用例であり、首囲より伸縮素材部１の方が周囲が大きいため、首を締めつけず、安全に楽に動くことができる。【００１５】  伸縮性のある素材は、１とフード部２又は防水服の全体１０でも良い。【００１６】  防水服の素材について、その物事態は浮力のない物でも、中に着る衣服の空気の溜まり方によって浮力が変わり、水面では首の部分くらいまでは沈まないことが知られているが、浮力のある素材、または浮力帯を付けることもできる。【００１７】  水中で使用する場合は、給気及び排気バルブが必要な場合もある。
【産業上の利用可能性】
【００１８】  津波、風水害、海難事故の非難、救助、捜索、瓦礫処理と言った場合、水没するとすぐに低体温症になることが多く、体を濡らさないことが重要であるが、そのためには、服を着たままで着脱がすばやくできること、初めから着ていても苦にならない程動きやすいこと、防水ファスナーがないため折りたたむことができ、安価で軽く、常に持ち運んだり身につけることができる防水服が必要となる。
海抜より低い地域や、水害ハザードマップに載っている地域に住んでいる人々、又はそこに行く場合、釣り、農業、漁業、水面、水中でのスポーツや作業、船や飛行機などの非難具、水没の可能性のあるあらゆる場所での用途に適用できる。
【符号の説明】
【００１９】  １  伸縮素材部
２  フード部
３  削除
４  削除
５  削除
１０  防水服の全体
１２  削除
１４  削除
【図１】
0006087869.tif 000002
【図２】
0006087869.tif 000003
【図３】
0006087869.tif 000004